(57)【要約】【課題】  弱電界等により放送信号の受信レベルが低下した場合のユーザの手動による出力信号の切り換え操作を省略する。【解決手段】  放送信号についての受信を行うと共に、記憶媒体からの再生信号を入力する受信装置において、少なくとも放送信号の受信レベルを検出した結果に応じて、出力信号を、上記放送信号に基づく信号と上記再生信号に基づく信号とで切り換えるように制御を行う。これにより放送信号の受信レベルの低下に応じては、自動的に記憶媒体からの再生信号に基づく信号出力に切り換えを行うことができ、ユーザによる切り換え操作を省略することができる。【選択図】図５
2006013569.tif 000002
【特許請求の範囲】
【請求項１】
放送信号を受信する受信手段と、
所要の記憶媒体より再生された再生信号を入力する入力手段と、
少なくとも上記受信手段により受信される上記放送信号の受信レベルに応じて、出力されるべき信号を、上記受信手段により受信される放送信号に基づく信号と上記入力手段により入力される上記再生信号に基づく信号とで切り換えるように制御を行う制御手段と、
を備えることを特徴とする受信装置。
【請求項２】
上記制御手段は、
少なくとも上記放送信号の受信レベルが所定以下となることに応じて、出力されるべき信号を上記入力手段により入力される上記再生信号に基づく信号に切り換えるように制御を行う、
ことを特徴とする請求項１に記載の受信装置。
【請求項３】
上記制御手段は、
少なくとも上記放送信号の受信レベルが所定以上となることに応じて、出力されるべき信号を上記受信手段により受信される放送信号に基づく信号に切り換えるように制御を行う、
ことを特徴とする請求項１に記載の受信装置。
【請求項４】
上記制御手段は、
上記放送信号の受信レベルが所定以下となる状態が所定時間以上継続したことに応じて、出力されるべき信号を上記入力手段により入力される上記再生信号に基づく信号に切り換えるように制御を行う、
ことを特徴とする請求項１に記載の受信装置。
【請求項５】
上記制御手段は、
上記放送信号の受信レベルが所定以上となる状態が所定時間以上継続したことに応じて、出力されるべき信号を上記受信手段により受信される放送信号に基づく信号に切り換えるように制御を行う、
ことを特徴とする請求項１に記載の受信装置。
【請求項６】
放送信号を受信する受信手段と、所要の記憶媒体より再生された再生信号を入力する入力手段とを備えた受信装置における信号出力切換制御方法であって、
少なくとも上記受信手段により受信される上記放送信号の受信レベルに応じて、出力されるべき信号を、上記受信手段により受信される放送信号に基づく信号と上記入力手段により入力される上記再生信号に基づく信号とで切り換えるように制御を行うようにした、
ことを特徴とする信号出力切換制御方法。
【発明の詳細な説明】
【技術分野】
【０００１】
本発明は、放送信号についての受信を行うと共に、記憶媒体から再生された再生信号の入出力が可能とされた受信装置、及び信号出力切換制御方法に関する。
【背景技術】
【０００２】
放送信号を受信する受信装置として、例えば車載用やポータブル用の受信装置では、移動中の使用に伴い、弱電界等により放送信号を受信しにくくなるといったことがある。そして、例えば受信エリアを外れた場合など、放送を全く受信できなくなった場合は、出力音声はノイズや無音の状態となってしまう。
【０００３】
従来の受信装置において、このように出力音声がノイズや無音の状態となってしまった場合には、ユーザが他のチャンネルに切り換えるか或いは他のソースに切り換えるといった操作を手動で行うようにされていた。
【０００４】
なお、以下の特許文献には、緊急情報や交通情報の受信に応じて、出力音声をこれらの放送に基づくものに自動的に切り換える技術について記載されている。
【特許文献１】特開平９−３０７４６５号公報
【発明の開示】
【発明が解決しようとする課題】
【０００５】
しかしながら、特に車載用の受信装置の場合において、このような切り換え操作を運転中のユーザに手動で行わせることは、安全面で問題がある。
また、車載用でない場合であっても、このような手動による切り換え操作はユーザに煩わしさを感じさせるものとなりかねない。
【課題を解決するための手段】
【０００６】
そこで、本発明では上記問題点に鑑み、受信装置として以下のように構成することとした。
つまり、放送信号を受信する受信手段と、所要の記憶媒体より再生された再生信号を入力する入力手段とを備える。
その上で、少なくとも上記受信手段により受信される上記放送信号の受信レベルに応じて、出力されるべき信号を、上記受信手段により受信される放送信号に基づく信号と上記入力手段により入力される上記再生信号に基づく信号とで切り換えるように制御を行う制御手段を備えるようにした。
【０００７】
また、信号出力切換制御方法として以下のようにすることとした。
すなわち、放送信号を受信する受信手段と、所要の記憶媒体より再生された再生信号を入力する入力手段とを備えた受信装置における信号出力切換制御方法であって、少なくとも上記受信手段により受信される上記放送信号の受信レベルに応じて、出力されるべき信号を、上記受信手段により受信される放送信号に基づく信号と上記入力手段により入力される上記再生信号に基づく信号とで切り換えるように制御を行うようにした。
【発明の効果】
【０００８】
このようにして本発明によれば、放送信号の受信レベルに応じて、出力信号を放送信号に基づくものと記憶媒体からの再生信号に基づくものとで自動的に切り換えることができるので、例えば放送信号の受信レベルが低下してこれに基づく出力がノイズや無音の状態となった場合に、記憶媒体からの再生信号に基づく信号出力に自動的に切り換えることができる。これによれば、放送信号の受信レベルが低下した場合のユーザによる切り換え操作の手間を省くことができる。
また、例えば運転中のユーザとしても手動による出力信号の切り換え操作を行う必要はなくなるので、安全運転を促すことができる。
【０００９】
また、本発明では、出力信号を放送信号に基づくものから記憶媒体からの再生信号に基づくものに切り換えるようにしていることから、例えば他の放送チャンネルや他の放送波への切り換えを行う場合と比較して、例えばノイズや無音の状態が継続されてしまうことをより確実に防止することができる。
【発明を実施するための最良の形態】
【００１０】
以下、発明を実施するための最良の形態（以下実施の形態とする）について説明していく。
図１は、実施の形態としてのラジオ受信機１の内部構成例について示したブロック図である。
図１において、実施の形態のラジオ受信機１としては、車載用のラジオ受信機を想定している。そして、図示するミックスシグナルチップ６を備え、例えば外部接続されたオーディオプレイヤ１０からのオーディオ信号を入力し、これを外部出力することが可能とされる。
この場合のオーディオプレイヤ１０としては、所要の記録媒体についての再生が可能な装置を想定している。この場合としては、ＣＤ（Compact Disc）とＭＤ（Mini Disc：光磁気ディスク）についての再生が可能な再生装置であるとする。
【００１１】
また、実施の形態のラジオ受信機１では、複数の放送波に対応した構成を採るものとされる。具体的には、ＡＭ（Amplitude Modulation）、ＦＭ（Frequency Modulation）、ＤＡＢ（Digital Audio Broadcasting）の各放送波による放送信号に対応した構成が採られる。
さらに、この場合のラジオ受信機1としては、放送信号からオーディオ信号や付加情報を得るための復調処理を、図示するＤＳＰ７によるソフトウェア処理によって行うように構成されている。
【００１２】
先ず図１において、チューナ部５には、ＡＭ放送信号についての受信・選局を行うためのアンテナ２ａとＡＭチューナ２、さらにＦＭ放送信号についての受信・選局を行うためのアンテナ３ａとＦＭチューナ３、またＤＡＢ放送信号についての受信・選局を行うアンテナ４ａとＤＡＢチューナ４が備えられる。
ＡＭチューナ２、ＦＭチューナ３、ＤＡＢチューナ４では、対応するアンテナによって受信されるＲＦ信号から、設定された周波数に応じたＩＦ信号（中間周波信号）を得る。ここでは、このようにＩＦ信号を得る動作について選局動作と呼ぶこととする。
そして、このようなＡＭチューナ２、ＦＭチューナ３、ＤＡＢチューナ４による選局動作は、図示するマイクロコンピュータ９の制御に基づいて行われる。
【００１３】
また、この場合のチューナ５には、図示するスイッチ（ＳＷ）５ａが備えられる。このスイッチ５ａは、ＡＭチューナ２、ＦＭチューナ３、ＤＡＢチューナ４により得られる各放送波のＩＦ信号を択一的に出力するように構成される。
この場合のスイッチ５ａの切り換えとしても、マイクロコンピュータ９の制御に基づいて行われる。
【００１４】
ミックスシグナルチップ６には、上記したスイッチ５ａを介して出力されるＩＦ信号が入力される。また、外部のオーディオプレイヤ１０からのオーディオ信号が入力される。
後述もするように、ミックスシグナルチップ６にはＡ／Ｄコンバータが備えられ、アナログ信号によるＩＦ信号、オーディオ信号は、デジタル信号によりＤＳＰ（Digital Signal Processor）７に対して供給される。
また、ミックスシグナルチップ６に対しては、ＤＳＰ７からデジタルオーディオ信号が供給される。そしてミックスシグナルチップ６は、このように供給されるオーディオ信号をオーディオ信号出力として外部出力するようにされる。
なお、ミックスシグナルチップ６の内部構成については後述する。
【００１５】
ＤＳＰ７は、入力される各信号についての音声信号処理を行う。
この場合のＤＳＰ７は、図示する復調処理部７ａの動作として、入力されたＩＦ信号についての復調処理を行う。このような復調処理として、例えばＡＭ・ＦＭのＩＦ信号については、入力されるＩＦ信号について検波処理やＡＭ・ＦＭ復調処理等を行ってオーディオ信号を得る。また、ＦＭやＤＡＢにおいて、音声信号以外の付加情報が放送される場合は、その付加情報についての抽出処理等も行う。また、ＤＡＢのＩＦ信号については誤り訂正処理なども行うようにされる。
また、ＤＳＰ７は、サンプリングレート変換処理部７ｂの動作として、上記復調処理部７ａにより復調して得られたオーディオ信号、或いはオーディオプレイヤ１０からミックスシグナルチップ６を介して入力されたオーディオ信号についてのサンプリングレート変換処理を実行する。この場合のサンプリングレート変換処理では、例えば４８ｋHzのサンプリングレートによるオーディオ信号に変換するようにされる。
ＤＳＰ７は、このようなサンプリングレート変換処理により得られたオーディオ信号をミックスシグナルチップ６に対して供給する。
【００１６】
また、ＤＳＰ７に対してはＲＯＭ８が備えられる。このＲＯＭ８に対しては、上記した復調処理部７ａやサンプリングレート変換処理部７ｂとしての処理動作を実現するためのプログラムなどが格納される。
また、特にこの場合のＲＯＭ８に対しては、後述する実施の形態としての動作を実現するための音声出力切換プログラム８ａが格納される。
【００１７】
マイクロコンピュータ９は、当該ラジオ受信機１についての全体制御を行う。
例えば、マイクロコンピュータ９に対しては、当該ラジオ受信機１の筐体外部に表出した操作入力部（図示せず）が備えられ、操作入力に応じた動作が実行されるように各部を制御する。特に、このような操作入力部を介しては、音声出力の切り換えのための操作入力が可能とされる。例えば、チューナ部５にて受信されるラジオ放送信号の音声出力に切り換える操作が行われた場合は、ＤＳＰ７に対する指示を行うことで、ＩＦ信号に基づいてＤＳＰ７において得られたオーディオ信号をミックスシグナルチップ６を介して出力させる。また、一方の外部のオーディオプレイヤ１０からのオーディオ信号の出力に切り換えるための操作に応じては、同様にＤＳＰ７に対する指示を行うことで、このオーディオ信号に基づきＤＳＰ７にて得られるオーディオ信号を、ミックスシグナルチップ６を介して出力させる。
また、放送波の切り換え操作に応じては、先に説明したスイッチ５ａに対する切り換え制御を行い、各放送波内での受信チャンネルの切り換え操作に応じては、チューナ部５における対応するチューナに対する周波数設定を行って選局動作を制御する。
【００１８】
図２には、図１に示したミックスシグナルチップ６の内部構成を示す。
先ず、この場合のミックスシグナルチップ６としては、チューナ部５より供給されるＩＦ信号が入力されると共に、オーディオプレイヤ１０からのオーディオ信号入力として、実際にはアナログオーディオ信号とデジタルオーディオ信号との２系統の入力が可能とされる。そして、ＤＳＰ７の制御に基づき、これらのうちの所要の信号をＤＳＰ７に対して供給するようにされる。
また、図１にて説明したように、ミックスシグナルチップ６に対しては、ＤＳＰ７において復調処理やサンプリングレート変換処理の施されたオーディオ信号が再度入力され、これをオーディオ信号出力として外部出力するようにされている。
このようなオーディオ信号出力としても、図示するようにアナログ出力とデジタル出力との２系統の出力が可能とされている。
【００１９】
図２において、チューナ部５からのＩＦ信号の入力に対しては、Ａ／Ｄコンバータ１１が備えられる。Ａ／Ｄコンバータ１１によりデジタル信号に変換されたＩＦ信号は、信号処理部１４にてフィルタ処理等が施された後、バッファ１５に供給される。
また、オーディオプレイヤ１０からのアナログオーディオ信号の入力に対しては、Ａ／Ｄコンバータ１２が備えられ、このＡ／Ｄコンバータ１２にてデジタル信号に変換されたオーディオ信号としてもバッファ１５に対して供給されるようになっている。
さらに、オーディオプレイヤ１０からデジタルオーディオ信号の入力に対しては、入力部１３が備えられる。この入力部１３は、オーディオプレイヤ１０から入力されるデジタルインタフェースフォーマットによるオーディオ信号をデコードしてデジタルオーディオ信号を抽出する。例えば、この場合のオーディオプレイヤ１０からはＳＰＤＩＦ（Sony Philips Digital InterFace）フォーマットによるデジタルオーディオ信号が供給され、入力部１３としてもこれに対応した構成が採られる。
この入力部１３にて得られたデジタルオーディオ信号としても、バッファ１５に対して供給されるようになっている。
【００２０】
また、オーディオ信号の出力系としては、上記したアナログ出力のためのＤ／Ａコンバータ１９と、デジタル出力のための出力部２０とが備えられる。
これらＤ／Ａコンバータ１９と出力部２０に対しては、ＤＳＰ７から図示するデータＩ／Ｆ（インタフェース）・コントロール回路１８を介して入力されたデジタルオーディオ信号が、バッファ１５を介して供給される。
そして、Ｄ／Ａコンバータ１９は、バッファ１５を介して供給されるデジタルオーディオ信号をアナログオーディオ信号に変換して上記アナログ出力として出力する。
また、出力部２０としては、先の入力部１３と同様に例えばＳＰＤＩＦフォーマットに対応した構成とされ、これによってバッファ１５を介して供給されるデジタルオーディオ信号をＳＰＤＩＦフォーマットによるデジタルオーディオ信号により出力するようにされる。
【００２１】
データＩ／Ｆ・コントロール回路１８は、ＤＳＰ７との間で各種データの通信を行うと共に、ＤＳＰ７の制御に基づいて各部を制御するようにされる。
例えば、ＩＦ信号、アナログオーディオ信号、デジタルオーディオ信号の入力を選択する制御がＤＳＰ７によって行われる。このような制御に基づき、データＩ／Ｆ・コントロール回路１８は、Ａ／Ｄコンバータ１１、Ａ／Ｄコンバータ１２、入力部１３のオン／オフを制御するようにされ、これによって選択された信号がＤＳＰ７に対して供給されるようにする。
また、ＤＳＰ７からは、例えば信号処理回路１４におけるフィルタ処理についての係数等、所要のコントロールデータが供給され、データＩ／Ｆ・コントロール回路１８ではこのようなコントロールデータを必要な各部に設定することで、ＤＳＰ７の制御に基づく動作が各部において得られるように制御するようにされる。
【００２２】
バッファ１５は、バッファコントロール回路１６の制御に基づき、信号処理回路１４からのＩＦ信号、Ａ／Ｄコンバータ１２からのオーディオ信号、入力部１３からのオーディオ信号についてのバッファリングを行うようにされる。
また、上記もしたように、ＤＳＰ７からデータＩ／Ｆ・コントロール回路１８を介して入力されるオーディオ信号についてのバッファリングも行う。
【００２３】
また、ＣＬＫジェネレータ１７は、図示されないシステムクロックを入力してミックスシグナルチップ６にて必要なクロックを生成する。例えば、上記したデータＩ／Ｆ・コントロール回路１８とＤＳＰ７との間でのデータ通信で用いられる通信クロック等は、このＣＬＫジェネレータ１７によって生成される。
【００２４】
ここで、次の図３、図４により、ミックスシグナルチップ６とＤＳＰ７との間でやりとりされる通信データの構造について説明しておく。
先ず、図３には、ミックスシグナルチップ６からＤＳＰ７に対する送信データのデータ構造を示す。
先ず、図示する「Startword」には、データの開始位置を示す情報が格納される。そして、この「Startword」に続く「Configuration1」には、さらに次に続く「Data stream1」に格納されるデータの種類とデータ長を示す情報が格納される。
この場合の「Data stream1」には、図示するようにチューナ部５より出力されるＩＦ信号を格納するものとされる。
また、同様に「Configuration2」「Configuration3」には、これに続く「Data stream2」「Data stream3」に格納されるデータの種類とデータ長を示す情報が格納される。「Data stream2」には、オーディオプレイヤ１０からのアナログ入力に基づくオーディオ信号が格納され、「Data stream3」にはオーディオプレイヤ１０からのデジタル入力に基づくオーディオ信号が格納される。
なお、ＤＳＰ７に対する送信を行わない信号については、対応する「Data stream」を空として送信を行うようにされる。
【００２５】
また、図４には、ＤＳＰ７からミックスシグナルチップ６への送信データのデータ構造を示す。
先ず、ＤＳＰ７からミックスシグナルチップ６に対しては、図２に示したＡ／Ｄコンバータ１１、１２についてのサンプリングレートの設定データや、ＩＦ信号や外部入力されるオーディオ信号についての入力のオン／オフを行うための、Ａ／Ｄコンバータ１１、１２、及び入力部１３のオン／オフ設定のためのデータ等、各種の設定データが供給される。
また、これと共にＤＳＰ７からミックスシグナルチップ６に対しては、ＤＳＰ７にて復調処理やサンプリングレート変換処理の施されたデジタルオーディオデータが供給される。
さらに、ＤＳＰ７からミックスシグナルチップ６に対しては、先の図２においても述べたように信号処理回路１３において行われるフィルタ処理についての係数などのコントロールデータも供給されるものなる。
【００２６】
これらＤＳＰ７から送信されるデータの種類の別は、図示する「Configuration1」に格納される値により示される。
つまり、図４（ａ）に示すように「Configuration1」の値が「００」である場合は、上記した設定データの送信であることが示される。また、図４（ｂ）に示す「０１」である場合は、デジタルオーディオデータの送信であることが示される。さらに、図４（ｃ）に示す「１」の場合は、コントロールデータの送信であることが示される。
【００２７】
図４（ａ）に示される設定データの送信の場合において、「Configuration1」に続く「Count」には、データ長の情報が格納される。そして、続く「START_ADDR」には、設定データをセットすべきレジスタのアドレス情報が格納される。さらに、続く「Setting data」には、設定データが格納される。
【００２８】
また、図４（ｂ）に示されるデジタルオーディオデータの送信の場合としても、図示する「Count」にはデータ長の情報が格納され、続く「Analog out」と「Digital out」には、それぞれＤ／Ａコンバータ１９を介してアナログ出力されるべきオーディオ信号と、出力部２０を介してデジタル出力されるべきオーディオ信号が格納される。
【００２９】
図４（ｃ）に示されるコントロールデータの送信の場合も、「Count」と「START_ADDR」には、データ長の情報とレジスタのアドレス情報が格納される。そして、続く「Control data」には、実際のコントロールデータが格納されるものとなる。
【００３０】
これまでの説明によるラジオ受信機１の構成によって、実施の形態では、以下のような動作を行うものとしている。
先ず、実施の形態のラジオ受信機１では、例えばＤＳＰ７において、チューナ部５より入力されるＩＦ信号に基づき、放送信号の受信レベルを検出するようにされる。そして、このように検出される受信レベルと、ＤＳＰ７内において予め設定された所定値ｔｈとを比較した結果に基づいて、ミックスシグナルチップ６からのオーディオ信号出力として出力される信号を、オーディオプレイヤ１０から入力されるオーディオ信号に切り換える動作を行う。
具体的には、ＩＦ信号に基づく受信レベルが所定値ｔｈを下回ったことが検出されて、且つその状態が所定時間長以上経過することに応じて、オーディオプレイヤ１０からのオーディオ信号に切り換える動作を行うものとしている。
【００３１】
このような動作によれば、例えば放送の受信エリア外に移動された場合等、チューナ部５における放送信号の受信状態が悪化して出力音声がノイズや無音の状態となった場合に、自動的に外部のオーディオプレイヤ１０にて記憶媒体から再生されるオーディオ信号を出力することができるようになる。
これによれば、手動により出力音声の切り換えを行う手間を省くことができる。
また、実施の形態の場合のように車載用のラジオ受信機１とされる場合には、特に運転中のユーザによる切り換え操作を不要とできるので、安全運転を促すことができる。
【００３２】
また、上記のようにして受信レベルが所定以下となる状態が所定時間以上継続することに応じて切り換えを行うようにしていることで、一時的な受信レベルの低下に反応して不必要な切り換えが行われてしまうことを防止できる。
【００３３】
さらに、この場合は、上記のようにして出力信号をＩＦ信号に基づくものからオーディオプレイヤ１０からのオーディオ信号入力に基づくものに切り換えるようにしていることから、例えば他の放送チャンネルや他の放送波への切り換えを行う場合と比較して、ノイズや無音の状態が継続されてしまうことをより確実に防止することができる。
つまり、他の放送チャンネルや他の放送波への切り換えを行う場合は、切り換え後の放送信号が必ずしも良好な受信レベルが得られるとは限らないため、確実に無音やノイズの状態を防止できるものとはならないが、実施の形態のように記憶媒体からの再生信号に基づく信号出力に切り換えるものとすれば、より確実に無音やノイズの状態を防止することができるものである。
【００３４】
なお、オーディオプレイヤ１０からのオーディオ信号入力として、この場合は図２において説明したようにアナログとデジタルとの２系統の入力が可能とされているが、切り換えによりいずれを選択するかは予め設定されているものとする。
或いは、いずれを選択するかは予めユーザに設定させておくものとしてもよい。
【００３５】
また、実施の形態では、上記のようにオーディオ信号入力に基づくオーディオ信号出力に切り換えが行われた後も、ＤＳＰ７に対するＩＦ信号の入力を継続して受信レベルについての検出を行うものとしている。そして、受信レベルが所定値ｔｈを超える状態が所定時間長以上継続することに応じて、ＩＦ信号入力に基づくオーディオ信号出力に切り換える動作を行うものとしている。
これによれば、放送を充分に受信できる状態となることに応じて自動的にＩＦ信号に基づく音声信号の出力へと切り換えることができる。つまり、オーディオプレイヤ１０からのオーディオ信号の出力に切り換えられた後も、ユーザは逐次ＩＦ信号入力への切り換え操作を行って放送信号の受信状態をチェックする必要がなくなると共に、充分な受信レベルが得られた場合におけるＩＦ信号入力への切り換え操作の手間が省略されるものである。
そして、この場合も所定時間経過後に切り換えを行うものとしていることで、一時的な受信レベルの上昇に反応して不必要な切り換えが行われてしまうことを防止できる。
【００３６】
なお、上記のようにしてオーディオプレイヤ１０からのオーディオ信号の出力中においても受信レベルの検出を行うためには、ミックスシグナルチップ６からＤＳＰ７に対してオーディオプレイヤ１０からのオーディオ信号とＩＦ信号との双方を供給する必要があるが、この場合はミックスシグナルチップ６からＤＳＰ７への送信データが先の図３に示した構造とされているので、これらの信号を同時に供給することが可能とされる。
【００３７】
また、この場合における放送信号の受信レベルについての検出として、ＡＭとＦＭの放送信号が選択されている場合は、ＩＦ信号の振幅レベルを検出して所定値ｔｈとの比較を行うようにすればよい。
但し、ＤＡＢについては、デジタル信号による放送信号でありエラー訂正を行ってデータを得ることができるので、必ずしもＩＦ信号の振幅レベルが受信レベルを示すものとはならない。そこでＤＡＢについての受信レベルの検出としては、ＩＦ信号を復調して得られたデータについてのエラーレートを検出するものとしている。そして、このように検出されたエラーレートの値と、これに対応して設定される所定値ｔｈの値との比較を行うようにする。これによれば、ＩＦ信号の振幅レベルを検出する場合よりも正確にＤＡＢ放送信号についての受信レベルの検出を行うことができる。
なお、上記説明によると、この場合の上記所定値ｔｈの値は、ＡＭ・ＦＭの場合の振幅レベルを基準とした値とＤＡＢの場合のエラーレートを基準とした場合の値とで異なることになるが、以下では説明の便宜上、所定値ｔｈはこれらＡＭ・ＦＭの場合に対応して設定される値とＤＡＢの場合に対応して設定される値との双方を含めたものとして扱うこととする。
また、特に次の図５に示すフローチャートにおいて、ＩＦ信号レベルといったときは、ＡＭ・ＦＭの場合の振幅レベルと、ＤＡＢの場合のエラーレートの値との双方を指すものとする。
【００３８】
上記のような実施の形態としての動作を実現するために実行されるべき処理動作を、次の図５のフローチャートに示す。
なお、この図に示される処理動作は、図１に示したＤＳＰ７がＲＯＭ８に格納される音声出力切換プログラム８ａに基づいて実行するものである。
また、この図では、ラジオ受信機１においてチューナ部５において得られたＩＦ信号に基づくオーディオ信号出力が行われている状態であるとする。
【００３９】
先ず、ステップＳ１０１においては、以降の処理において用いられるＣｏｕｎｔＡ、ＣｏｕｎｔＢ、ｆｌａｇを初期化する処理を実行する。
ここで、ＣｏｕｎｔＡとしては、後の説明からも理解されるように、ＩＦ信号レベルが所定値ｔｈを下回って以降、オーディオプレイヤ１０からのオーディオ信号入力に切り換えるまでの時間長についてのカウント値となる。
また、ＣｏｕｎｔＢは、オーディオ信号入力に基づくオーディオ信号出力から、ＩＦ信号入力に基づくオーディオ信号出力へと切り換えるにあたっての、ＩＦ信号レベルが所定値ｔｈを超える状態が継続する時間長を設定するための値となる。
また、ｆｌａｇは、オーディオ信号出力として出力されている信号がＩＦ信号に基づくものかオーディオ信号入力に基づくものかの別を示す情報となる。
【００４０】
ステップＳ１０２においては、ＩＦ信号レベルを検出する。つまり、ミックスシグナルチップ６より入力されるＩＦ信号に基づき、放送信号の受信レベルについての検出を行う。
先の説明からも理解されるように、このステップＳ１０２の検出処理としては、実際にはチューナ部５においてＡＭまたはＦＭの放送波の受信が選択された場合の振幅レベルの検出と、ＤＡＢの放送波が選択された場合のエラーレートの検出とで異なる処理を実行するようにされる。
従って図示による説明は省略したが、この場合のステップＳ１０２の処理としては、先ずは選択される放送波がＤＡＢであるか否かの判別処理を行うようにされる。そして、ＤＡＢでないとされた場合に対応しては、入力されるＩＦ信号の振幅レベル検出を行う。また、ＤＡＢであるとされた場合に応じては、入力されるＩＦ信号について復調処理を行った後、エラーレート検出処理を行うようにされる。
【００４１】
続くステップＳ１０３においては、ＩＦ信号レベルが、所定値ｔｈを下回ったか否かについての判別処理を実行する。
つまり、ＡＭまたはＦＭのＩＦ信号が入力される場合は、検出された振幅レベルと振幅レベルに対応して設定された所定値ｔｈとの比較を行った結果に基づいた判別処理を行う。また、ＤＡＢのＩＦ信号が入力される場合は、検出されたエラーレートとこれに対応して設定された所定値ｔｈとの比較結果に基づく判別処理を実行する。
【００４２】
そして、ステップＳ１０３において、ＩＦ信号レベルが所定値ｔｈを下回ってはいないとして否定結果が得られた場合は、ステップＳ１０４において、ｆｌａｇ＝1であるか否かについての判別処理を実行する。
ここで、ｆｌａｇ＝１は、オーディオ信号としてオーディオプレイヤ１０からの入力に基づくオーディオ信号が出力されていることを示す情報となる。
従って、ｆｌａｇ＝１ではないとされて否定結果が得られた場合は、ＩＦ信号が出力される状態であり、ステップＳ１１６において復調処理を実行する。
そして、ステップＳ１１７においては、サンプリングレート変換処理を実行する。さらに、続くステップＳ１１８においては、ミックスシグナルチップ６に対してオーディオ信号を送信する。
このようなオーディオ信号の送信処理を実行すると、ステップＳ１０２に戻り、再びＩＦ信号レベルの検出を行うようにされる。
これまでの処理によって、ＩＦ信号に基づくオーディオ信号の出力時にＩＦ信号レベルが所定値ｔｈ以上で得られている状態では、ＩＦ信号に基づくオーディオ信号の出力が継続されるものとなる。
【００４３】
また、上記したステップＳ１０３において、ＩＦ信号レベルが所定値ｔｈを下回ったとして、肯定結果が得られた場合は、ステップＳ１０５に処理を進めて、ｆｌａｇ＝０であるか否かについての判別処理を実行する。
そして、ステップＳ１０５において、ｆｌａｇ＝０であるとして肯定結果が得られた場合は、ステップＳ１０６に処理を進める。
【００４４】
ステップＳ１０６においては、ＣｏｕｎｔＡの値が、予め設定されたカウントオーバー値ｎを超えたか否かについての判別処理を行う。
ここで、実施の形態では、これらＣｏｕｎｔＡの値とカウントオーバー値ｎとによって、ＩＦ信号レベルが所定値ｔｈを下回って以降、オーディオプレイヤ１０からの入力に基づくオーディオ信号出力への切り換えを行うまでの時間長を設定するものとしている。
つまり、ＣｏｕｎｔＡの値がカウントオーバー値ｎを超えたことに応じて、後述するようにオーディオプレイヤ１０からのオーディオ信号入力に切り換えを行うようにされているものである。
このステップＳ１０６において、ＣｏｕｎｔＡの値がカウントオーバー値ｎを超えてはいないとして否定結果が得られた場合は、ステップＳ１０７に処理を進めて、ＣｏｕｎｔＡの値をインクリメントする処理を実行する。これによって、ステップＳ１０３にてＩＦ信号レベルが所定値ｔｈを下回っていることが検出されるごとに、ＣｏｕｎｔＡの値がカウントアップされていくことになる。
ステップＳ１０７におけるインクリメント処理を実行すると、ステップＳ１１６の復調処理に進むようにされる。
【００４５】
そして、ステップＳ１０６において、ＣｏｕｎｔＡの値がカウントオーバー値ｎを超えたとして肯定結果が得られた場合は、ステップＳ１０８にて復調処理を中止し、続くステップＳ１０９において、オーディオ信号入力への切換処理を行う。すなわち、ミックスシグナルチップ６を介してオーディオプレイヤ１０からのオーディオ信号の入力が開始されるように制御を行うものである。
そして、このようにオーディオ信号入力への切換処理を行うと、ステップＳ１１０において、ＣｏｕｎｔＡ＝０、ｆｌａｇ＝１の設定を行う。つまり、ＣｏｕｎｔＡの値を０リセットすると共に、オーディオプレイヤ１０からの入力に基づくオーディオ信号出力が行われていることを示すｆｌａｇ＝１を設定するものである。
【００４６】
その上で、続くステップＳ１１１においては、ＣｏｕｎｔＢの値としてカウントスタート値ｍを設定するようにされる。
実施の形態では、このようにカウントスタート値ｍにより設定したＣｏｕｎｔＢの値をカウントダウンしていくことによって、オーディオプレイヤ１０からの入力に基づくオーディオ信号出力から、ＩＦ信号入力に基づくオーディオ信号出力へと切り換えるにあたっての時間長をカウントするものとしている。
すなわち、実施の形態では、オーディオプレイヤ１０からの入力に基づくオーディオ信号出力からＩＦ信号入力に基づくオーディオ信号出力へと切り換えるにあたって、ＩＦ信号レベルが所定値ｔｈ以上となる状態が所定時間長経過することを条件としているが、後の説明からも理解されるように、ここではカウントスタート値ｍに設定したＣｏｕｎｔＢの値をカウントダウンしていくことで、上記所定時間長の経過を判別するようにされているものである。
【００４７】
ステップＳ１１１において、ＣｏｕｎｔＢの値をカウントスタート値ｍに設定すると、ステップＳ１１７におけるサンプリングレート変換処理に進むようにされる。
【００４８】
続いては、オーディオ信号入力からＩＦ信号入力への切り換えのための処理動作について説明する。
先ず、この場合の切り換えには、これまでの説明から理解されるようにＩＦ信号レベルが所定値ｔｈ以上となることが必要となる。そして、このような切り換えとしては、オーディオ信号入力に基づくオーディオ信号出力が行われている場合に行われるので、上記したステップＳ１０３にて否定結果が得られ、続くステップＳ１０４にてｆｌａｇ＝１が判別された以降の処理として実行されるものである。
【００４９】
このようにステップＳ１０４においてｆｌａｇ＝１であるとして肯定結果が得られた場合は、図示するようにステップＳ１１２に処理を進める。
ステップＳ１１２においては、ＣｏｕｎｔＢの値が０となったか否かについての判別処理を行う。ＣｏｕｎｔＢの値が０となっておらず否定結果が得られた場合は、ステップＳ１１３において、ＣｏｕｎｔＢの値をデクリメントする処理を実行する。これによってＩＦ信号レベルが所定値ｔｈ以上となる状態が継続することに応じて、ＣｏｕｎｔＢの値がカウントダウンされていくものとなる。
【００５０】
そして、ステップＳ１１２において、ＣｏｕｎｔＢの値が０となったとして肯定結果が得られた場合は、ステップＳ１１４において、ＩＦ信号入力への切り換え処理を実行する。
その上で、続くステップＳ１１５においては、ｆｌａｇ＝０を設定し、ステップＳ１１６の復調処理に進むようにされる。
これによれば、先に説明したステップＳ１１１にてカウントスタート値ｍに設定したＣｏｕｎｔＢの値が０となり、所定値ｔｈ以上となる状態が所定時間長以上経過したことに応じて、ＩＦ信号入力への切り換えが行われることになる。
【００５１】
ここで、実施の形態において、ＩＦ信号からオーディオプレイヤ１０からのオーディオ信号に切り換えを行う際の所定時間長を決定するＣｏｕｎｔＡの値についてのカウントオーバー値ｎとしては、例えば３秒程度の時間長に対応する値を設定するものとしている。また、一方のオーディオ信号入力からＩＦ信号への切り換え際の所定時間長を決定するＣｏｕｎｔＢの値についてのカウントスタート値ｍとしては、例えば１０秒程度の時間長に対応した値を設定するものとしている。
但し、これらカウントオーバー値ｎとカウントスタート値ｍの値としては、上記した数値に限定されるものではなく、一時的な受信レベルの変化に反応して不必要な切り換えが行われてしまうことを防止できる値とされれば任意の値が設定されてよい。
【００５２】
なお、これまでに説明してきた実施の形態では、チューナ部５にて受信可能な放送波がＡＭ、ＦＭ、ＤＡＢとされる場合を例示したが、その種類や数について特に限定するものではない。
また、特にＡＭ、ＦＭの放送波については、放送信号をアナログ信号のままハードウェアにより検波・復調等を行って音声信号を得る構成が採られてもよい。
また、このようにハードウェアにより放送信号のデコードを行う構成が採られた場合等では、出力すべき信号をスイッチにより切り換えることが考えられるが、このような構成に対応しては、少なくとも放送信号の受信レベルに応じてこのスイッチに対する切り換え制御を行うようにされればよい。
【００５３】
また、図３、図４により説明したようなＤＳＰ７とミックスシグナルチップ６との間の通信データの構造はあくまで一例であり、これに限定されるものではない。
但し、実施の形態では、上記もしたようにオーディオプレイヤ１０からのオーディオ信号入力を出力している間に、ＩＦ信号レベルについての検出・比較を行う必要があるので、この間もＤＳＰ７にＩＦ信号が入力できるような通信データ構造とされている必要がある。
【００５４】
また、実施の形態では、ラジオ受信機１に対してオーディオプレイヤ１０が外部接続される場合を例示したが、これらが一体で構成される場合にも本発明は好適に適用できる。
そして、このようにラジオ受信機１とオーディオプレイヤ１０とが一体で構成される場合は特に、オーディオ信号入力への切り換えのタイミングに応じて、オーディオプレイヤ１０側に記憶媒体についての再生の開始を指示するように構成されてもよい。
【００５５】
また、ラジオ受信機１としては、複数のオーディオプレイヤ１０からの入力に対応するものとしてもよい。この場合には、ＩＦ信号からどのオーディオプレイヤ１０からの入力に切り換えるかを予めユーザにより設定可能としたり、或いは出力する優先順位を予め設定可能としておくといったことが行われてもよい。
【００５６】
また、実施の形態では、ＩＦ信号とオーディオ信号入力との切り換え時に、そのままオーディオ信号を出力するものとしたが、いわゆるフェードインと呼ばれるように、切り換え後の音声ボリュームを設定値よりも低いものとしておき、これを時間経過と共に徐々に上昇させていくといったことが行われてもよい。
或いは、切り換えのタイミングに応じてビープ音やアラーム音、音声メッセージを出力する等といったことが行われてもよい。
【００５７】
また、ＡＭ、ＦＭの放送信号の受信レベルの検出にあっては、ＩＦ信号の振幅レベルを検出するものとしたが、ＲＦ信号の振幅レベルを検出する構成を採ることもできる。
【００５８】
また、実施の形態では、オーディオプレイヤ１０から再生されたＣＤ、ＭＤからの再生信号を入力するものとしたが、本発明における受信装置としては、他にもＤＶＤ（Dgital Versatile Disc）やＳＡ−ＣＤ（Super Audio CD）、ハードディスク等いったディスク状記憶媒体や、半導体メモリを備えたメモリカード等の記憶媒体から再生された再生信号が入力される場合にも好適に適用できる。
【００５９】
また、放送信号としてはラジオ放送信号を受信し、記憶媒体から再生された再生信号としては音声信号を入力するものとして、音声信号についての切り換えを行うもとしたが、テレビジョン放送の放送信号を受信し、記憶媒体からの再生信号として映像・音声による信号を入力するもとし、映像・音声信号についての切り換えを行うように構成されてもよい。
この場合としても、受信レベルが低下した場合のユーザによる出力切り換えのための操作を不要とすることができる。
【図面の簡単な説明】
【００６０】
【図１】本発明における実施の形態としてのラジオ受信機の構成例について示したブロック図である。
【図２】実施の形態のラジオ受信機が備えるミックスシグナルチップの内部構成を示すブロック図である。
【図３】実施の形態のラジオ受信機が備えるＤＳＰとミックスシグナルチップとの間の通信データの構造として、ミックスシグナルチップからＤＳＰへの送信データの構造について示すデータ構造図である。
【図４】実施の形態のラジオ受信機が備えるＤＳＰとミックスシグナルチップとの間の通信データの構造として、ＤＳＰからミックスシグナルチップへの送信データの構造について示すデータ構造図である。
【図５】実施の形態のラジオ受信機において行われる処理動作について示したフローチャートである。
【符号の説明】
【００６１】
１  ラジオ受信機、２  ＡＭチューナ、３  ＦＭチューナ、４  ＤＡＢチューナ、２ａ、３ａ、４ａ  アンテナ、５  チューナ部、５ａ  スイッチ、６  ミックスシグナルチップ、７  ＤＳＰ、７ａ  復調処理部、７ｂ  サンプリングレート変換処理部、８  ＲＯＭ、８ａ  音声出力切換プログラム、９  マイクロコンピュータ、１０  オーディオプレイヤ、１１、１２  Ａ／Ｄコンバータ、１３  入力部、１４  信号処理回路、１５  バッファ、１６  バッファコントロール回路、１７  ＣＬＫジェネレータ、１８  データＩ／Ｆ・コントロール回路、１９  Ｄ／Ａコンバータ、２０  出力部
【図１】
2006013569.tif 000003
【図２】
2006013569.tif 000004
【図３】
2006013569.tif 000005
【図４】
2006013569.tif 000006
【図５】
2006013569.tif 000007